(57)【要約】【課題】回転軸にピン止めが接触し解除に苦慮した、安全ワイヤ止めリングが破損し取り払うに危険だった、サポートへの一本一本の重量が違うので、取り払うに苦慮した、その為人件費が多大だった。【解決の手段】サポートピンのピン止めをピン下で、平行にしたので回転軸に接触しなくした、安全ワイヤとめリングを、サポートピンに開口を取り付けることで、危険なく作業できる、サポートピンを解除する時、回転軸を頼らず、サポートピン先をハンマーだ叩くだけで、サポートピンが解除できる一発サポートピン。【選択図】図５
2004092362.tif 000002
【特許請求の範囲】
【請求項１】
建築、土木等の工事で塀、壁、スラブ等に使用するサポートの、サポートピンに関するものである。
【請求項２】
一発サポートピンは（４）ピン止めより（Ａ）ピン先に向かって（６）上部、横部が勾配になっているのが特徴の一発サポートピン。
【請求項３】
一発サポートピンは（１９）下部が平になって、（２０）が斜めになっているのが特徴の一発サポートピン。
【請求項４】
一発サポートピンは（５）サポート中軸受け部分が、平になっているのが特徴の一発サートピン。
【請求項５】
一発サポートピンは（４）ピン止めが上下ネジの近くにあって、（１９）下部が平になっているのが特徴の一発サポートピン。
【請求項６】
一発サポートピンは（２）安全ワイヤ取り付け開口を大きくした特徴の一発サポートピン。
【請求項７】
一発サポートピンを種入れする、サポート中軸のピン穴（９）が大きく（１０）が小さくなっているのが特徴のサポート中軸。
【発明の詳細な説明】
【０００１】
【発明の属する技術分野】
本発明は、建築、土木等の工事で、塀、壁、スラブ等に使用する、サポートのサポートピンに関するものである。
【０００２】
【従来の技術】
従来の、サポートピンは円形で長方形になっていた、サポートピン止めがサポートを上下する、取っ手に接触し上下するに苦慮した。
【０００３】
従来の、サポートのサポートピンは、スラブサポートが最後の一本に安全ワイヤ止めリングに、チエーンのフックを種入れして、引っ張ってサポートピンを抜き取り払っていた、その為時々安全ワイヤ止めリングがチエーンの引力で破損する場合があった、取り払うのに苦慮した。
【０００４】
従来の、サポートはスラブ等の重量が加わる量が、サポート一本一本違う為、取り払う時、取っ手を下に解除するに苦慮した。
【０００５】
従来の、サポートは取り払うに時間がかかり、人件費が多大だった。
【０００６】
【発明が解決しようとする課題】
従来の、サポートピンは取っ手を上下時にピン止めが接触した問題。
【０００７】
従来の、サポートの安全ワイヤ止めリングをチエーン等での引力での破損の問題。
【０００８】
従来の、サポートを取り払う時、取っ手を下に解除するに苦慮した問題。
【０００９】
従来の、サポートを取り払うのに、多大の人件費がかかった問題。
【００１０】
【課題を解決するための手段】
本発明は、いかにサポートを簡単に危険なくスピーデーに取り払いが出来るよう解決した。
【００１１】
本発明の、サポートピンのピン止めは下が、（１９）平行になっているので取っ手が接触する事のないよう解決した。
【００１２】
本発明の、サポートピンの（１５）安全ワイヤ取り付けリングを（２）安全ワイヤ取り付け開口にして、チエーン等のフックを種入れし引力しても何ら破損のも無く、取り払うに危険も無いよう解決した。
【００１３】
本発明は、サポートを取り払う時、取っ手を下に解除する事無く、ハンマーで（Ａ）ピン先を叩き出すだけで簡単にサポートピンが飛び出し、サポートを簡単に取り払うよう解決した。
【００１４】
本発明は、いかに安全で、すばやくサポートを取り払うに、又人件費が削減出来るよう解決した。
【００１５】
【発明の実施と形態】
次に、図面に基き本発明の実施と形態を詳述する、図１は本発明の一発サポートピンの正面図、図２は本発明の、一発サポートピンの側面図、図３は本発明の、一発サポートピンの平面図、図４は本発明の、一発サポートピンをサポートに種入れした平面図、図５は本発明のサポート中軸ピン穴に、本発明の一発サポートピンを種入れした側面図、図６は本発明の一発サポートピンを仕保工、時の状態でサポートに、一発サポートピンを種入れした側面図、図７は従来のサポートピンの側面図、図８は従来の仕保工、時の状態の側面図。
【００１６】
一発サポートピンの使用方法は、（１）サポートピンを（１３）サポート中軸の（９）から（１０）に種入れし図６仕保工、時の状態にする、取り払う時は（Ａ）ピン先をハンマーで、叩いて一発で取り払う、一発サポートピン。
【００１７】
一発サポートピンの、図１正面図、図２側面図、図３平面図を詳述する、材料は主に鉄材とした、（１）は一発サポートピンで（２）は安全ワイヤ取り付け開口で取り払う時、危険な場合チエーンフックを種入れし、引力で取り出せるようにした、（３）角に面しては全体に丸面とした、（４）はピン止めで（１９）ピン下で平になっているので、回転軸を上下しても従来のようにピン止めが、回転軸に触れない、（５）はサポート中軸を受けるところを平らにした、（２０）は斜め勾配にし一発サポートピンを種入れしやすいように、又一発サポートピンをハンマーで叩き取り払う時、場合によっては強弱の関係で、強く叩いて一瞬に取り払うと真っ直ぐ飛び出すが、弱く叩いて取り払うとサポート中軸が、一発サポートピン先の（６）に触れ（２０）斜め勾配の為、上に回転する一発サポートピン。
【００１８】
一発サポートピンの、図４平面図、図５側面図を詳述する、（１３）サポート中軸に一発サポートピンを種入れした所、（９）ピン種入り口（１０）ピン先の穴の大きさは一発サポートピンより２〜３ｍｍ大きくした一発サポートピン、図６側面図を詳述する、（１４）安全ワイヤはハンマーで取り払う時、安全の為のワイヤで（４）ピン止めは（１９）ピン下で平になっているので（１１）上下回転軸がスムーズに回転できる一発サポートピン、図７側面図、図８側面図を詳述する、従来のサポートピン、従来のサポートピンを取り付けた状態。
【００１９】
【発明の効果】
本発明は、以上説明したように構成されているので、以下に記載されるような効果を奏する、一発サポートピン。
【００２０】
一発サポートピンのピン止めが、上下回転軸に接触しないように効果した一発サポートピン。
【００２１】
いかに早く上下回転軸を頼らず、ハンマーで叩いて一発サポートピンを取り払う効果を奏した一発サポートピン。
【００２２】
サポートピンを取り払うに多大の人件費を削減に効果を奏した一発サポートピン。
【図面の簡単な説明】
【図１】一発サポートピン正面図である。
【図２】一発サポートピン側面図である。
【図３】一発サポートピン平面図である。
【図４】サポートに一発サポートピンを種入れした状態の平面図である。
【図５】サポート中軸に一発サポートピンを種入れした側面図である。
【図６】サポートに一発サポートピンを種入れした側面図である。
【図７】従来のサポートピンである。
【図８】サポートに従来のサポーピンを種入れした側面図である。
【符号の説明】
１　　一発サポートピン。
２　　安全ワイヤ取り付け開口。
３　　丸面．
４　　ピン止め。
５　　サポート中軸受け。
６　　平面、上面がピン止めからピン先に斜め勾配になっている。
７　　取っ手。
８　　取っ手軸芯。
９　　ピン穴種入口、
１０　ピン先穴出口。
１１　回転軸。
１２　サポート外軸。
１３　サポート中軸。
１４　安全ワイヤ。
１５　安全ワイヤ取り付けリング。
１６　ネジカバー。
１７　ネジ山。
１８　ネジ下。
１９　ピン下。
２０　すべり勾配。
２２　ピン穴。
【図１】
2004092362.tif 000003
【図２】
2004092362.tif 000004
【図３】
2004092362.tif 000005
【図４】
2004092362.tif 000006
【図５】
2004092362.tif 000007
【図６】
2004092362.tif 000008
【図７】
2004092362.tif 000009
【図８】
2004092362.tif 000010